(57)【要約】【課題】消防ホース巻取装置において、巻取りを終えた消防ホースを、消防ホースから巻取ピンに掛かる押圧力にも拘わらず、極力簡単な機構により、巻取装置から容易に取外しができるようにすること。【解決手段】ハンドル又はモーターで駆動されて回転する巻取円板面４に垂直に巻取ピン１及び２を立設し、巻取円板３内にその回転軸に平行な軸の回りに回動する回動軸部５を、その端面６が巻取円板面４と同一面をなすように埋めこみ、巻取ピン１は回動軸部５の端面６に偏芯して立設され、操作桿７により回動軸部５を回動させれば偏芯した巻取ピン１の位置が移動して巻取円板面４に固定された巻取ピン２との間隔が変わる。回動軸部５は、巻取ピン１及び２の間隔を最小にする第１方向から、巻取円板３の回転の向きとは逆向きに回動し、間隔最大となる１８０度を超えて僅かに減少を始める第２方向までの範囲で回動可能に構成される。【選択図】図１
0003118614.tif 000002
【実用新案登録請求の範囲】
【請求項１】
ハンドル又はモーターで駆動されて回転する巻取円板と、該巻取円板面に垂直に立設された２本の巻取ピンとを備え、消防ホースを該巻取ピンの周囲に巻取る消防ホース巻取装置において、
前記巻取円板には、その回転軸に平行な軸の回りに回動する回動軸部が端面を該巻取円板面と面一にして埋め込まれ、
前記２本の巻取ピンのうちの１本は、前記回動軸部端面に垂直に偏芯して立設される偏芯巻取ピンであって、操作桿により該回動軸部を回動させれば巻取円板に固定されたもう１本の巻取ピンとの間隔が変わり、
前記回動軸部は、前記２本の巻取ピンの間隔が最小となる第１方向から、前記巻取円板の回転の向きとは逆向きに回動し、間隔最大となる１８０度を超えて僅かに減少を始める第２方向までの範囲で回動可能に構成されることを特徴とする、偏芯巻取ピンを有する消防ホース巻取装置。
【考案の詳細な説明】
【技術分野】
【０００１】
本考案は、消防機器の一種である消防ホース巻取装置に関する。
【背景技術】
【０００２】
消防ホースは、使用後は乾燥のうえ巻き取って保管し、次の出動に備えることになっている。
【０００３】
消防ホースを巻き取るには、扁平にしたホースを地上に延ばし、ほぼ中央で折り返して２重にし、折り返し部を巻き芯として地上で転がして巻く方法が従来から採られてきた。しかし、この作業は頻繁に行われしかも労力を要するので、これを機械式で行うため、これまで各種の消防ホース巻取装置が提案されている。
【０００４】
これらの装置は、いずれも巻取面に立設した数本のピン(文献により、巻芯部材又は巻込軸などとも呼ばれる。)の周りに消防ホースを巻き取る点で共通し、また、巻き取った消防ホースをどうすれば巻取装置から容易に取り外すことができるかという点が共通の課題になっている。
【０００５】
公知文献には、上記課題の解決手段として様々な機構が提案されているが、ここでは、本考案に多少とも関連する構成を有するものに絞って検討する。その一つ、下記特許文献１には、少なくとも１本の巻芯部材をその軸線に関し揺動可能に支持し、かつ該巻芯部材を基部に略直交するように弾性付勢する付勢手段を有する消防ホース巻取装置が開示されている。
【０００６】
また特許文献２には、回転板に軸支する巻込軸を半径方向に移動固定自在に支持してなる消防ホース巻取り具が開示され、その移動固定自在に支持する手段としては、スプリングの弾発力を利用する数種の実施形態が挙げられている。しかしこれらの文献はいずれも本考案とは解決原理の異なるやや複雑な構成を開示しており、本考案の権利化に障害となるものではないと考えられる。
【０００７】
【特許文献１】実開平７−２７６１６号公報
【特許文献２】特開２００１−００９０５４号公報
【考案の開示】
【考案が解決しようとする課題】
【０００８】
本考案が解決しようとする課題は、ハンドル又はモーターにより駆動されて回転する巻取円板面に立設された２本の巻取ピンの周囲に消防ホースを巻き取る消防ホース巻取装置であって、巻取りを終えた消防ホースを、消防ホースから巻取ピンに掛かる押圧力に拘わらず、極力簡単な機構により、巻取装置から容易に取り外しができるようにすることである。
【０００９】
なお、上記の巻取ピンは扁平につぶした消防ホースの横幅に見合う長さを有し、消防ホースは、その全長のほぼ中央で折り返し二重にした折返し部を巻取ピンの１本に引っ掛けて巻き取る。
【課題を解決するための手段】
【００１０】
上記の課題は、偏芯巻取ピンを有する下記消防ホース巻取装置により解決することができる。
【００１１】
上記巻取円板には、その回転軸に平行な軸の回りに回動する回動軸部が端面を巻取円板面と面一にして埋め込まれ、上記２本の巻取ピンのうちの１本は、回動軸部の端面に偏芯して立設された偏芯巻取ピンであって、操作桿により回動軸部を回動させれば、巻取円板面に固定されたもう１本の巻取ピンとの間隔が変わる。
【００１２】
この回動軸部(及び操作桿)は、２本の巻取ピンの間隔が最小となる第１方向から、巻取円板の回転の向きとは逆向きに回動し、間隔最大となる１８０度を超えて僅かに減少を始める第２方向までの範囲で回動可能に構成される。
【考案の効果】
【００１３】
本考案の消防ホース巻取装置によれば、回動軸部を前記第２方向に向けた状態で消防ホースを巻き取れば、巻取円板に加えられる巻取力の反作用である消防ホースからの引張力によって、回動軸部は第２方向に押し付けられて貼り付くので、巻取ピンの間隔が最大近傍に安定的に維持された状態で支障なく巻取りができる。
【００１４】
なお、上記第２方向は、２本の巻取ピンの間隔最大となる１８０度を超えて僅かに減少を始める位置に取られているので、消防ホースから巻取ピンに引張力とともに押圧力が加わっても不安定になることはなく、回動軸部が巻取ピン間隔減少の向きに回動を始めるおそれはない。
【００１５】
巻取り終了後は、操作桿により回動軸部を第１方向に移行させて巻取ピンの間隔を縮少すれば、消防ホースから巻取ピンに掛かる押圧力が緩和され、消防ホースを巻取ピンから容易に抜き取ることができる。
【実施例】
【００１６】
図１は、本考案の一実施例を説明する斜視図である。本図は、本考案に係る消防ホース巻取装置の中核部分である巻取ヘッドアセンブリの構成を示している。
【００１７】
図１中の参照符号１は偏芯巻取ピン、２は固定巻取ピン、３は巻取円板、４は巻取円板の端面(巻取円板面)、５は回動軸部、６は回動軸部の端面、７は操作桿、８はシャフト、９はハンドル、１０は巻取ヘッドアセンブリである。
【００１８】
巻取円板３はシャフト８を介してハンドル９又は図示しないモーターに接続されて回転し、消防ホースを巻き取る巻取力を与えられる。巻取ピン１及び２は巻取円板面４に垂直に立設される。回動軸部５は巻取円板３に埋め込まれており、巻取円板面４と回動軸部の端面６とは同一面をなす。巻取ピン１は回動軸部の端面６に偏芯して立設され、操作桿７を動かして回動軸部５を回動させることにより、巻取円板面４に固定された巻取ピン２との間隔が変わる。
【００１９】
回動軸部５は、巻取ピン１及び２の間隔を最小にする第１方向から、巻取円板３の回転の向きとは逆向きに回動し、間隔最大となる１８０度を超えて僅かに減少を始める第２方向までの範囲で回動可能に構成される。図１は、消防ホースの巻取り開始時に、回動軸部５と操作桿７が上記の第２方向に向いていることを示している。
【００２０】
巻取ヘッドアセンブリ１０をこのように構成し、回動軸部５を第２方向に向けた状態で消防ホースを巻き取れば、外部から巻取円板３に加えられる巻取力の反作用として消防ホースから巻取ピンに掛かる引張力によって、回動軸部５は第２方向に押しつけられて貼り付き、巻取ピンの間隔が最大近傍に安定的に維持されるので支障なく巻取りができる。
【００２１】
巻取り終了後は、操作桿７により回動軸部５を第１方向に移動させて巻取ピン１、２の間隔を縮少すれば、消防ホースから巻取ピン１、２に掛かる押圧力が緩和され、消防ホースを巻取ピンから容易に抜き取ることができる。
【００２２】
図２に示す写真は、本実施例たる消防ホース巻取装置の正面図に相当する画像(消防ホース巻取り前)である。図２において、巻取ヘッドアセンブリ１０は軸受け１１により架台１３上に回転自在に支持され、ホースガイド１２は巻取ヘッドアセンブリ１０と向き合って、消防ホース１４を巻取ヘッドアセンブリ１０へ安定に送給する。
【００２３】
図３に示す写真は、消防ホース１４の巻取りが完了した状態の消防ホース巻取装置の側面図に相当する画像である。本図では消防ホース１４が円形に巻取られた様子が示されている。
【図面の簡単な説明】
【００２４】
【図１】消防ホース巻取装置における巻取ヘッドアセンブリの構成を説明する斜視図である。
【図２】消防ホース巻取装置の正面図（消防ホース巻取り前）に相当する写真である。
【図３】消防ホースの巻取りが完了した状態における消防ホース巻取装置の側面図に相当する写真である。
【符号の説明】
【００２５】
１  偏芯巻取ピン
２  固定巻取ピン  
３  巻取円板
４  巻取円板端面
５  回動軸部
６  回動軸部端面
７  操作桿
８  シャフト
９  ハンドル
１０  巻取ヘッドアセンブリ
１１  軸受け
１２  ホースガイド
１３  架台
１４  消防ホース
【図１】
0003118614.tif 000003
【図２】
0003118614.tif 000004
【図３】
0003118614.tif 000005